【手続補正書】
【提出日】平成29年12月19日(2017.12.19)
【手続補正１】
【補正対象書類名】明細書
【補正対象項目名】０１４０
【補正方法】変更
【補正の内容】
【０１４０】
本開示の範囲及び趣旨から逸脱することなく、当業者によって本開示の様々な修正及び変更を行うことができ、また本発明は、本明細書に記載される例示的な実施形態に不当に限定されるものではない点を理解するべきである。以下、本発明の実施形態の例を列記する。
〔１〕
処理したフィラーであり、
その表面の少なくとも一部分の上に式：
【化１５】
2017511390.tif 000001
（式中、
Ｒは水素又はアルキルであり、
Ｘはアルキレン、アリールアルキレン、又はアルキルアリーレンであって、アルキレン、アリールアルキレン、及びアルキルアリーレンは任意にエーテル、チオエーテル、アミン、アミド、エステル、チオエステル、カーボネート、チオカーボネート、カルバメート、チオカルバメート、尿素、又はチオ尿素のうちの少なくとも１つが介在し、アルキレンは任意にアリーレンが介在し、
Ｗはヒドロキシル、スルホン酸基、ホスホン酸基、カルボン酸基、−ＮＨＲ１、エポキシ、又は−Ｓｉ（Ｙ）ｘ（Ｚ１）３−ｘであり、
Ｒ１は水素、アルキル、アリール、アリールアルキレニル、又はアルキルアリーレニルであり、
Ｙはアルキル、アリール、アリールアルキレニル、又はアルキルアリーレニルであり、
各Ｚ１は独立してハロゲン化物、ヒドロキシル、アルコキシ、アリールオキシ、アシルオキシ、ポリアルキレンオキシ、前記フィラーの前記表面に共有結合した−Ｏ−、又は別のケイ素原子に結合してシロキサンを形成した−Ｏ−であり、アルコキシ及びアシルオキシは任意にハロゲンによって置換され、アリールオキシは任意にハロゲン、アルキル、又はハロアルキルによって置換され、
ｘは０又は１である）の化合物を有するフィラーを含み、
前記化合物が共有結合、イオン結合、又は水素結合のうちの少なくとも１つの形態で前記フィラーに結合する、処理したフィラー。
〔２〕
前記フィラーが珪質フィラー、炭酸カルシウム、又はメタホウ酸ナトリウムである、項目１に記載の処理したフィラー。
〔３〕
Ｗがカルボン酸又は−Ｓｉ（Ｙ）ｘ（Ｚ１）３−ｘであって、式中、ｘが０であり、各Ｚ１が独立してヒドロキシル、アルコキシ、前記フィラーの前記表面に共有結合した−Ｏ−、又は別のケイ素原子に結合してシロキサンを形成した−Ｏである、項目１に記載の処理したフィラー。
〔４〕
Ｘが、任意に少なくとも１つのエーテル、エステル、カーボネート、カルバメート、又はアリーレンが介在するアルキレンである、項目１に記載の化合物。
〔５〕
硬化性ポリマー樹脂と、項目１〜４のいずれか一項に記載の処理したフィラーと、を含む、組成物。
〔６〕
フリーラジカル開始剤を更に含む、項目５に記載の組成物。
〔７〕
前記フリーラジカル開始剤が、有機ペルオキシドである、項目６に記載の組成物。
〔８〕
前記硬化性ポリマー樹脂が、不飽和ポリエステル樹脂である、項目５に記載の組成物。
〔９〕
前記組成物が、スチレンモノマー、置換スチレンモノマー、アクリレートモノマー、又はメタクリレートモノマーのうちの少なくとも１つを更に含む、項目５に記載の組成物又は方法。
〔１０〕
硬化性ポリマー樹脂の硬化度を決定する方法であって、
硬化性ポリマー樹脂と、フリーラジカル開始剤と、４００ナノメートル〜７００ナノメートルの範囲の波長で第１の吸光度を有する組成物を提供するのに十分な量の項目１〜４のいずれか１項に記載の処理したフィラーと、を含む組成物を提供する工程と、
前記組成物を硬化させて硬化組成物を提供する工程であって、前記硬化組成物が前記第１の吸光度とは異なる波長で第２の吸光度を有する、工程と、を含む、方法。
〔１１〕
処理したフィラーを製造する方法であって、式：
【化１６】
2017511390.tif 000002
（式中、
Ｒは水素又はアルキルであり、
Ｘはアルキレン、アリールアルキレン、又はアルキルアリーレンであって、アルキレン、アリールアルキレン、及びアルキルアリーレンは任意にエーテル、チオエーテル、アミン、アミド、エステル、チオエステル、カーボネート、チオカーボネート、カルバメート、チオカルバメート、尿素、又はチオ尿素のうちの少なくとも１つが介在し、アルキレンは任意にアリーレンが介在し、
Ｗはヒドロキシル、スルホン酸基、ホスホン酸基、カルボン酸基、−ＮＨＲ１、エポキシ、又は−Ｓｉ（Ｙ）ｘ（Ｚ１）３−ｘであり、
Ｒ１は水素、アルキル、アリール、アリールアルキレニル、又はアルキルアリーレニルであり、
Ｙはアルキル、アリール、アリールアルキレニル、又はアルキルアリーレニルであり、
各Ｚ１は独立してハロゲン化物、ヒドロキシル、アルコキシ、アリールオキシ、アシルオキシ、ポリアルキレンオキシ、前記フィラーの前記表面に共有結合した−Ｏ−、又は別のケイ素原子に結合してシロキサンを形成した−Ｏ−であり、アルコキシ及びアシルオキシは任意にハロゲンによって置換され、アリールオキシは任意にハロゲン、アルキル、又はハロアルキルによって置換され、
ｘは０又は１である）によって表される化合物でフィラーを処理する工程を含む、方法。
〔１２〕
Ｗがカルボン酸又は−Ｓｉ（Ｙ）ｘ（Ｚ１）３−ｘであって、式中、ｘが０であり、各Ｚ１がアルコキシである、項目１１に記載の方法。
〔１３〕
Ｘが、任意に少なくとも１つのエーテル、エステル、カーボネート、カルバメート、又はアリーレンが介在するアルキレンである、項目１１又は１２に記載の方法。
〔１４〕
前記フィラーが珪質フィラー、炭酸カルシウム、又はメタホウ酸ナトリウムである、項目１１又は１２に記載の方法。
〔１５〕
式：
【化１７】
2017511390.tif 000003
（式中、
Ｒは、水素又はアルキルであり、
Ｘはアルキレン、アリールアルキレン、又はアルキルアリーレンであって、アルキレン、アリールアルキレン、及びアルキルアリーレンは任意にエーテル、チオエーテル、アミン、アミド、エステル、チオエステル、カーボネート、チオカーボネート、カルバメート、チオカルバメート、尿素、又はチオ尿素のうちの少なくとも１つが介在し、アルキレンは任意にアリーレンが介在し、
Ｗはヒドロキシル、スルホン酸基、ホスホン酸基、カルボン酸基、−ＮＨＲ１、エポキシ、又は−Ｓｉ（Ｙ）ｘ（Ｚ）３−ｘであり、
Ｒ１は水素、アルキル、アリール、アリールアルキレニル、又はアルキルアリーレニルであり、
Ｙはアルキル、アリール、アリールアルキレニル、又はアルキルアリーレニルであり、
Ｚはハロゲン化物、ヒドロキシル、アルコキシ、アリールオキシ、アシルオキシ、ポリアルキレンオキシ、又は別のケイ素原子に結合してシロキサンを形成した−Ｏであって、アルコキシ及びアシルオキシは任意にハロゲンによって置換され、アリールオキシは任意にハロゲン、アルキル、又はハロアルキルによって置換され、
ｘは０又は１である）によって表される化合物であり、
Ｘがエチレンのときは、Ｗはヒドロキシル以外である、化合物。
【手続補正２】
【補正対象書類名】特許請求の範囲
【補正対象項目名】全文
【補正方法】変更
【補正の内容】
【特許請求の範囲】
【請求項１】
処理したフィラーであり、
その表面の少なくとも一部分の上に式：
【化１】
2017511390.tif 000004
（式中、
Ｒは水素又はアルキルであり、
Ｘはアルキレン、アリールアルキレン、又はアルキルアリーレンであって、アルキレン、アリールアルキレン、及びアルキルアリーレンは任意にエーテル、チオエーテル、アミン、アミド、エステル、チオエステル、カーボネート、チオカーボネート、カルバメート、チオカルバメート、尿素、又はチオ尿素のうちの少なくとも１つが介在し、アルキレンは任意にアリーレンが介在し、
Ｗはヒドロキシル、スルホン酸基、ホスホン酸基、カルボン酸基、−ＮＨＲ１、エポキシ、又は−Ｓｉ（Ｙ）ｘ（Ｚ１）３−ｘであり、
Ｒ１は水素、アルキル、アリール、アリールアルキレニル、又はアルキルアリーレニルであり、
Ｙはアルキル、アリール、アリールアルキレニル、又はアルキルアリーレニルであり、
各Ｚ１は独立してハロゲン化物、ヒドロキシル、アルコキシ、アリールオキシ、アシルオキシ、ポリアルキレンオキシ、前記フィラーの前記表面に共有結合した−Ｏ−、又は別のケイ素原子に結合してシロキサンを形成した−Ｏ−であり、アルコキシ及びアシルオキシは任意にハロゲンによって置換され、アリールオキシは任意にハロゲン、アルキル、又はハロアルキルによって置換され、
ｘは０又は１である）の化合物を有するフィラーを含み、
前記化合物が共有結合、イオン結合、又は水素結合のうちの少なくとも１つの形態で前記フィラーに結合する、処理したフィラー。
【請求項２】
前記フィラーが珪質フィラー、炭酸カルシウム、又はメタホウ酸ナトリウムである、請求項１に記載の処理したフィラー。
【請求項３】
Ｗがカルボン酸又は−Ｓｉ（Ｙ）ｘ（Ｚ１）３−ｘであって、式中、ｘが０であり、各Ｚ１が独立してヒドロキシル、アルコキシ、前記フィラーの前記表面に共有結合した−Ｏ−、又は別のケイ素原子に結合してシロキサンを形成した−Ｏである、請求項１に記載の処理したフィラー。
【請求項４】
硬化性ポリマー樹脂と、請求項１〜３のいずれか一項に記載の処理したフィラーと、を含む、組成物。
【請求項５】
前記硬化性ポリマー樹脂が、不飽和ポリエステル樹脂である、請求項４に記載の組成物。
【請求項６】
処理したフィラーを製造する方法であって、式：
【化２】
2017511390.tif 000005
（式中、
Ｒは水素又はアルキルであり、
Ｘはアルキレン、アリールアルキレン、又はアルキルアリーレンであって、アルキレン、アリールアルキレン、及びアルキルアリーレンは任意にエーテル、チオエーテル、アミン、アミド、エステル、チオエステル、カーボネート、チオカーボネート、カルバメート、チオカルバメート、尿素、又はチオ尿素のうちの少なくとも１つが介在し、アルキレンは任意にアリーレンが介在し、
Ｗはヒドロキシル、スルホン酸基、ホスホン酸基、カルボン酸基、−ＮＨＲ１、エポキシ、又は−Ｓｉ（Ｙ）ｘ（Ｚ１）３−ｘであり、
Ｒ１は水素、アルキル、アリール、アリールアルキレニル、又はアルキルアリーレニルであり、
Ｙはアルキル、アリール、アリールアルキレニル、又はアルキルアリーレニルであり、
各Ｚ１は独立してハロゲン化物、ヒドロキシル、アルコキシ、アリールオキシ、アシルオキシ、ポリアルキレンオキシ、前記フィラーの前記表面に共有結合した−Ｏ−、又は別のケイ素原子に結合してシロキサンを形成した−Ｏ−であり、アルコキシ及びアシルオキシは任意にハロゲンによって置換され、アリールオキシは任意にハロゲン、アルキル、又はハロアルキルによって置換され、
ｘは０又は１である）によって表される化合物でフィラーを処理する工程を含む、方法。
【請求項７】
Ｗがカルボン酸又は−Ｓｉ（Ｙ）ｘ（Ｚ１）３−ｘであって、式中、ｘが０であり、各Ｚ１がアルコキシであって、前記フィラーが珪質フィラーである、請求項６に記載の方法。
【請求項８】
式：
【化３】
2017511390.tif 000006
（式中、
Ｒは、水素又はアルキルであり、
Ｘはアルキレン、アリールアルキレン、又はアルキルアリーレンであって、アルキレン、アリールアルキレン、及びアルキルアリーレンは任意にエーテル、チオエーテル、アミン、アミド、エステル、チオエステル、カーボネート、チオカーボネート、カルバメート、チオカルバメート、尿素、又はチオ尿素のうちの少なくとも１つが介在し、アルキレンは任意にアリーレンが介在し、
Ｗはヒドロキシル、スルホン酸基、ホスホン酸基、カルボン酸基、−ＮＨＲ１、エポキシ、又は−Ｓｉ（Ｙ）ｘ（Ｚ）３−ｘであり、
Ｒ１は水素、アルキル、アリール、アリールアルキレニル、又はアルキルアリーレニルであり、
Ｙはアルキル、アリール、アリールアルキレニル、又はアルキルアリーレニルであり、
Ｚはハロゲン化物、ヒドロキシル、アルコキシ、アリールオキシ、アシルオキシ、ポリアルキレンオキシ、又は別のケイ素原子に結合してシロキサンを形成した−Ｏであって、アルコキシ及びアシルオキシは任意にハロゲンによって置換され、アリールオキシは任意にハロゲン、アルキル、又はハロアルキルによって置換され、
ｘは０又は１である）によって表される化合物であり、
Ｘがエチレンのときは、Ｗはヒドロキシル以外である、化合物。